(57)【要約】【課題】着脱が容易で、且つ、枠体に対して位置決めしやすく安価な網部材及び網戸を提供する。【解決手段】枠体が形成する開口を覆う網部材であって、前記枠体に面外方向に突出させて設けられた複数の突起に、取り外し可能に直接係止される網と、前記網に設けられ、前記枠体に対して位置決め可能な位置決め部と、を有する。【選択図】図３
2020084591.tif 000002
【特許請求の範囲】
【請求項１】
枠体が形成する開口を覆う網部材であって、
前記枠体に面外方向に突出させて設けられた複数の突起に、取り外し可能に直接係止される網と、
前記網に設けられ、前記枠体に対して位置決め可能な位置決め部と、
を有することを特徴とする網部材。
【請求項２】
請求項１に記載の網部材であって、
前記網は、面内方向において交差する複数の線材の交点が溶着されていることを特徴とする網部材。
【請求項３】
請求項１または請求項２に記載の網部材であって、
前記複数の突起は、面ファスナーの雄係止要素であることを特徴とする網部材。
【請求項４】
請求項１乃至請求項３のいずれかに記載の網部材であって、
前記位置決め部は、前記枠体の前記開口を形成する枠内周縁に沿って配置される位置決め縁を有するシート材が、前記網の両面から貼り付けられていることを特徴とする網部材。
【請求項５】
請求項１乃至請求項３のいずれかに記載の網部材であって、
前記網は、外周端部に処理が施された外周処理部を有し、
前記外周処理部よりも内周側にて前記突起に係止されていることを特徴とする網部材。
【請求項６】
請求項５に記載の網部材であって、
前記外周処理部の内周側の縁部が前記枠体に設けられた前記突起に沿って配置されて前記位置決め部をなすことを特徴とする網部材。
【請求項７】
請求項１乃至請求項５のいずれかに記載の網部材であって、
当該網部材を前記枠体から取り外すときに把持する把持部を備え、
前記把持部が前記位置決め部をなしていることを特徴とする網部材。
【請求項８】
請求項１乃至請求項７のいずれかに記載の網部材と、
前記枠体と、を有することを特徴とする網戸。
【発明の詳細な説明】
【技術分野】
【０００１】
本発明は、網部材及び網戸に関する。
【背景技術】
【０００２】
従来、枠体が形成する開口を覆う網部材としては、網戸枠の内周に設けられたネット固定溝にネット（網部材）の周縁を紐状のゴム（押さえビート）等と共に押し込むことにより固定されるネットが知られており、また、網戸枠に対してネットを容易に着脱できるように、枠材に接着する接着代と、枠材の内側におけるネット張設空間に張り出すネットの取付代とを一体化した補助枠を有するものも知られている(例えば、特許文献１参照)。
【先行技術文献】
【特許文献】
【０００３】
【特許文献１】特開２０１７−１６０６２８号公報
【発明の概要】
【発明が解決しようとする課題】
【０００４】
上記従来の網部材は、押さえビードによりネット固定溝に押し込まれている場合には、取り外し及び取り付けに手間が掛かるため、例えば網材の清掃のために網部材を取り外すことはなく、また、枠体に取り付けられたままの網部材は清掃しにくい。また、網部材は枠体の開口より僅かに大きいだけなので、一旦網部材を取り外してしまうと、網部材を枠体に対して適切に位置決めしないと、開口を覆うことができない。また、網部材が補助枠を有している場合には、部材が増えるために、製造工数及びコストが増大するという課題がある。
【０００５】
本発明は、かかる課題に鑑みてなされたものであり、その目的とするところは、着脱が容易で、且つ、枠体に対して位置決めしやすく安価な網部材及び網戸を提供することにある。
【課題を解決するための手段】
【０００６】
かかる目的を達成するために本発明の網部材は、枠体が形成する開口を覆う網部材であって、前記枠体に面外方向に突出させて設けられた複数の突起に、取り外し可能に直接係止される網と、前記網に設けられ、前記枠体に対して位置決め可能な位置決め部と、を有することを特徴とする網部材である。
本発明の他の特徴については、本明細書及び添付図面の記載により明らかにする。
【発明の効果】
【０００７】
本発明によれば、着脱が容易で、且つ、枠体に対して位置決めしやすく安価な網部材及び網戸を提供することが可能である。
【図面の簡単な説明】
【０００８】
【図１】本発明の網部材及び網戸を有する建具の一例を示す縦断面図である。
【図２】本発明の網部材及び網戸を有する建具の一例を示す横断面図である。
【図３】第１実施形態の網戸を示す正面図である。
【図４】第１実施形態の網戸枠を示す正面図である。
【図５】第１実施形態の網部材を示す正面図である。
【図６】円形状の位置決め部を備えた網部材を示す正面図である。
【図７】第２実施形態の網部材を示す正面図である。
【発明を実施するための形態】
【０００９】
以下、本発明の第１実施形態に係る網部材及び網戸について図面を参照して説明する。
第１実施形態においては、例えば、図１、図２に示すように、左右方向又は上下方向における一方の端部が室内側に移動して開放される障子１と、障子１を支持する窓枠２に固定され障子１の室外側に設けられる固定網戸３と、を備える建具４を例に挙げて説明する。
【００１０】
以下の説明においては、建物等に取り付けられている建具４を室内側から見たときに、上下となる方向を上下方向、左右となる方向を左右方向、室内外方向を見込み方向として示す。建具４の各部位であっても、また、建具４を構成する各部材については単体の状態であっても、建具４が取り付けられている状態にて上下方向、左右方向、見込み方向にて方向を特定して説明する。
【００１１】
障子１は、矩形状に枠組みされた窓枠２に開閉自在に支持されており、窓枠２において閉じた状態の障子１の室外側に設けられている窓開口２ａに固定網戸３が設けられている。より具体的には、固定網戸３は、窓枠２において窓開口２ａを形成する内周壁部２ｂにビス止めされている。
【００１２】
固定網戸３は、図３に示すように、窓枠２に固定される枠体としての網戸枠３０と、網戸枠３０に取り外し可能に取り付けられる網部材３４と、を有している。
【００１３】
網戸枠３０は、図４に示すように、上下左右に配置される４本の枠材３１がコーナー部材３２を介して矩形状に接合されている。矩形状に接合された網戸枠３０の内側が網部材３４により覆われる開口（以下、網戸開口という）３０ａとなる。４本の枠材３１は、いずれも断面形状がＬ字状をなす合成樹脂製の枠材３１であり、窓枠２の内周壁部２ｂと対向して当接される見込み板部３１ａと、見込み板部３１ａと直交し見付け面を形成する見付け板部３１ｂと、を有している。
【００１４】
網戸枠３０は、各枠材３１の見込み板部３１ａが内周壁部２ｂに当接されて、見付け板部３１ｂが窓開口２ａの内側に突出するように配置されている。このとき、見込み板部３１ａは、見付け板部３１ｂより室内側に位置している。見込み板部３１ａは、窓開口２ａの内周側から外周側に向かって進入する皿ねじ３０ｂにより内周壁部２ｂに固定されており、皿ねじ３０ｂの頭部は見込み板部３１ａよりも内周側には突出していない。
【００１５】
各枠材３１の見付け板部３１ｂにおける室内側の面には、複数の突起でなる面ファスナーの雄係止要素３３が、ほぼ全周に亘って設けられている。すなわち面ファスナーの雄係止要素３３は、複数の突起が、網戸枠３０における網戸開口３０ａを形成する周縁部分に、網戸開口３０ａを囲むように面外方向における室内側に向かって突出するように設けられている。また、見付け板部３１ｂに設けられた面ファスナーの雄係止要素３３は、各枠材３１における見付け板部３１ｂの先端の縁部に沿って設けられており、各枠材３１の見込み板部３１ａ側の縁（外周縁）３３ａが、見込み板部３１ａよりも僅かに内周側に位置している。すなわち、面ファスナーの雄係止要素３３の外周縁３３ａと見込み板部３１ａとは間隔が空けられている。
【００１６】
網部材３４は、図５に示すように、網戸開口３０ａを覆う網３５と、網戸枠３０に対して網部材３４を位置決めするための位置決め部３６と、網部材３４を網戸枠３０から取り外すときに作業者が把持する把持部３７と、を備えている。
【００１７】
網３５は、縦方向に沿う縦線材３５ａと、横方向に沿う横線材３５ｂとが格子状に交差されており、各交点が溶着されている。網３５は、網戸枠３０を形成する各枠材３１の見込み板部３１ａにより囲まれる空間とほぼ同じ広さを有している。すなわち、網戸開口３０ａを囲む雄係止要素３３よりも外周側に突出している。
【００１８】
位置決め部３６は、固定網戸３の左上部に位置するように設けられている。位置決め部３６は、例えば正方形状をなす２枚のシート材３６ａからなり、２枚のシート材３６ａが、網３５の室内側及び室外側から各々対面するように重ね合わせられて接着されている。
【００１９】
位置決め部３６は、網部材３４が網戸枠３０に取り付けられたときに、正方形状の左上の角を形成する２辺をなす縁３６ｂが、網戸枠３０をなす左側の枠材３１における見付け板部３１ｂの右側の縁３１ｃと、網戸枠３０をなす上側の枠材３１における見付け板部３１ｂの下側の縁３１ｄと、に沿う位置に接着されている。このため、各枠材３１における見付け板部３１ｂの先端の縁部に沿って各枠材３１の見付け板部３１ｂに設けられた面ファスナーの雄係止要素３３と、重ならない位置に位置決め部３６は配置されている。ここで、位置決め部３６の２辺をなす縁３６ｂが位置決め縁に相当し、網戸枠３０をなす左側の枠材３１の右側の縁３１ｃ及び上側の枠材３１の下側の縁３１ｄが枠内周縁に相当する。
【００２０】
把持部３７は、固定網戸３の左下部に位置するように設けられている。把持部３７は、例えば横長の長方形状をなすシート材であり、網部材３４が網戸枠３０に取り付けられたときに、長方形状をなす上側の辺３７ａが、網戸枠３０をなす下側の枠材３１における見付け板部３１ｂの上側の縁３１ｅに、長方形状をなす右側の辺３７ｂが、網戸枠３０をなす左側の枠材３１における見付け板部３１ｂの右側の縁３１ｃに各々沿って繋がるように配置されている。すなわち、把持部３７は、下側の枠材３１における見付け板部３１ｂに設けられた面ファスナーの雄係止要素３３と重なる位置に配置されている。このため、把持部３７も、網戸枠３０に対して網部材３４を位置決めするための位置決め部として機能する。
【００２１】
横長の長方形状をなす把持部３７は、右端部側のみが網３５に縫製されて設けられている。すなわち、把持部３７は縫製された右端部側のみが網３５と接合されて、他の部位は網３５とは接合されていない。このため、網戸枠３０に網部材３４が取り付けられた状態で、把持部３７の左端側を把持して引っ張ることにより、網部材３４が網戸枠３０から取り外される。
【００２２】
第１実施形態の固定網戸３は、網戸枠３０が窓枠２に取り付けられている状態で、網部材３４が着脱自在に設けられている。網部材３４を網戸枠３０に取り付ける際には、まず、正方形状をなす位置決め部３６の左上の角を形成する２辺をなす縁３６ｂを、網戸枠３０をなす左側の枠材３１における見付け板部３１ｂの右側の縁３１ｃと、網戸枠３０をなす上側の枠材３１における見付け板部３１ｂの下側の縁３１ｄと、に沿わせて配置する。
【００２３】
また、第１実施形態の網部材３４の場合には、横長の長方形状をなす把持部３７の上側の辺３７ａが、網戸枠３０をなす下側の枠材３１における見付け板部３１ｂの上側の縁３１ｅに、長方形状をなす右側の辺３７ｂが、網戸枠３０をなす左側の枠材３１における見付け板部３１ｂの右側の縁３１ｅに各々沿って繋がるように配置して、網部材３４を網戸枠３０に押圧する。このとき、網部材３４の網３５の網目に、網戸枠３０に設けられている面ファスナーの雄係止要素３３が挿入されることにより、網戸開口３０ａの全周にて網３５が雄係止要素３３に係止されて、網部材３４が網戸枠３０に取り付けられる。
【００２４】
また、網部材３４を取り外す場合には、網戸枠３０に取り付けられている網部材３４の把持部３７を引っ張ることにより、網３５と雄係止要素３３との係止状態を解除して網部材３４が網戸枠３０から取り外される。
【００２５】
第１実施形態の網部材３４によれば、網部材３４は、網戸枠３０に室内側に向かって突出させて設けられた複数の突起をなす雄係止要素３３に網３５が係止されているだけなので、容易に取り外すことが可能である。
【００２６】
また、網３５は、網戸枠３０に対する位置決め部３６を有しているので、網部材３４を取り外したとしても容易に位置決めして適切な位置に再び取り付けることが可能である。また、網部材３４は、雄係止要素３３に網３５が直接係止されているので、網３５を係止するための部材を別途備える必要がない。このため、網部材３４のコストを抑えることが可能である。このため、着脱が容易で、且つ、網戸枠３０に対して位置決めしやすく安価な網部材３４を提供することが可能である。
【００２７】
また、網３５は複数の縦線材３５ａと横線材３５ｂとの交点が溶着されているので、縦線材３５ａと横線材３５ｂとにより形成される格子に歪みや偏りが生じ難い。このため、雄係止要素３３が網目により確実に進入して係止されるので、網部材３４を網戸枠３０により確実に取り付けることが可能である。また、網部材３４は把持部３７を備えているので、網部材３４を容易に網戸枠３０から取り外すことが可能である。
【００２８】
また、位置決め部３６は、網３５の両面から貼り付けられているシート材３６ａなので、容易に取り付けることが可能であり、安価に設けることが可能である。また、シート材３６ａは、網戸開口３０ａを形成する左側の枠材３１の右側の縁３１ｃ及び上側の枠材３１の下側の縁３１ｄに沿う２辺をなす縁３６ｂを有しているので、網部材３４を網戸開口３０ａに対して容易に位置決めすることが可能である。
【００２９】
第１実施形態においては、位置決め部３６を正方形状とした例について説明したが、これに限らず、長方形状や、図６に示すように、円形状であっても構わない。位置決め部３６が円形状の場合には、例えば、位置決め部３６の外周が枠材３１の右側の縁３１ｃ及び上側の枠材３１の下側の縁３１ｄに接触する位置に位置決めする。
【００３０】
また、把持部３７も位置決め部として機能するので、位置決め部３６とともに把持部３７と２箇所にて網部材３４を位置決めするので、より容易に、かつ、より確実に位置決めすることが可能である。第１実施形態においては、網部材３４が位置決め部３６と把持部３７とをいずれも備えている例について説明したが、網部材３４の位置決めが可能な上記実施形態のような把持部３７であれば、その他の位置決め部は設けられていなくとも構わない。また、把持部３７の形状は、長方形状に限るものではなく、また、設けられる位置は、左下部に限るものではない。
【００３１】
次に、第２実施形態について説明する。第２実施形態は、第１実施形態と網部材のみが相違する。このため、第１実施形態と同一構成については図中で同符号を付して示し、その説明については省略する。
【００３２】
第２実施形態の網部材５は、図７に示すように、網５０の、網戸開口３０ａを囲む雄係止要素３３よりも外周側に突出している部位、すなわち、網５０の外周端部に、処理が施された外周処理部５１を有している。このため、網部材５は、外周処理部５１の内側にて雄係止要素３３により係止されている。
【００３３】
網５０の外周端部に施される処理としては、例えば、外周端部に全周に亘って縫製を施す、外周端部を全周に亘って折り返し重なった部位同士を接合する、外周端部を全周に亘って両面から挟むテープを貼り付ける、等が挙げられる。図７の例では、網５０の外周端部に全周に亘って、網５０の線材５０ａを解れ難くする、或いは、網５０を破れ難くするために縫製を施している。
【００３４】
第２実施形態の網部材５の外周処理部５１には、網部材５を網戸枠３０に取り付けたときに、外周処理部５１の内周側の縁５１ａが、網戸開口３０ａを囲む雄係止要素３３の外周縁３３ａに沿うように設けられている。このため、網部材５を網戸枠３０に取り付けるときには、外周処理部５１の内周側の縁５１ａを雄係止要素３３の外周縁３３ａに沿わせて配置して、網部材５を網戸枠３０の適切な位置に取り付けることが可能である。
【００３５】
また、外周処理部５１は、雄係止要素３３により係止されている部位より外周側に位置して網戸枠３０とは繋がっていないので、網部材３４を取り外すときには、外周処理部５１を把持して、網部材５を容易に網戸枠３０から取り外すことが可能である。このように、外周処理部５１の内周側の縁５１ａが、網戸開口３０ａを囲む雄係止要素３３の外周縁３３ａに沿うように設けられている場合には、外周処理部５１が位置決め部及び把持部として機能するので、位置決め部及び把持部を外周処理部５１とは別に設けなくともよい。
【００３６】
また、外周処理部５１を備えた網部材５の場合には、網５０を、網戸枠３０を形成する各枠材３１の見込み板部３１ａにより囲まれる空間よりも大きくし、外周処理部５１または外周処理部５１の一部を、各枠材３１の見込み板部３１ａ側に折り曲げると、より容易に把持することが可能となる。
【００３７】
第２実施形態の網部材５によれば、網５０は、外周端部に処理が施された外周処理部５１を有しているので、処理を施すことにより、網５０の線材５０ａを解れにくくする、或いは、破れにくくするなど、網５０の外周端部に適宜な処理を施した部位を備えることが可能である。また、網５０の外周端部が処理された外周処理部５１の内周側が雄係止要素３３に係止されているので、処理された外周処理部５１により網５０が係止され難くなることはない。
【００３８】
また、外周処理部５１の内周側の縁部が位置決め部をなすので、別途位置決め部を設けることなく、外周処理部５１の内周側の縁部を網戸枠３０に設けられた雄係止要素３３に沿って配置するだけで、網部材５を網戸枠３０に対して位置決めすることが可能である。
【００３９】
上記実施形態においては、網部材３４を面ファスナーの雄係止要素３３により係止して網戸枠３０に取り付ける例について説明したが、網部材３４は網３５の網目に進入して網を係止可能な突起であれば、面ファスナーの雄係止要素に限るものではない。
【００４０】
また、上記実施形態においては、位置決め部３６が網３５の左上に設けられている例について説明したが、これに限らず、位置決め部３６の配置は、網部材３４を網戸枠３０に対して位置決め可能であれば構わない。
【００４１】
また、上記実施形態の固定網戸３によれば、網部材３４を容易に取り外すことが可能な固定網戸３、及び、取り外した網部材３４を適切な位置に容易に取り付けることが可能な固定網戸３を提供することが可能である。
【００４２】
上記実施形態においては、建具４の窓枠２に固定される固定網戸３を例に挙げて説明したが、網戸枠に網部材が取り付けられている網戸であれば、引き戸タイプの網戸であっても構わない。
【００４３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４４】
本実施形態には、少なくとも以下の発明が含まれる。
枠体が形成する開口を覆う網部材であって、前記枠体に面外方向に突出させて設けられた複数の突起に、取り外し可能に直接係止される網と、前記網に設けられ、前記枠体に対して位置決め可能な位置決め部と、を有することを特徴とする網部材である。
【００４５】
このような網部材によれば、網部材は、枠体に面外方向に突出させて設けられた複数の突起に、網が係止されているだけなので、容易に取り外すことが可能である。また、網部材は、枠体に対する位置決め部を有しているので、網部材を取り外したとしても、容易に位置決めして適切な位置に再び取り付けることが可能である。また、網部材は、突起に網が直接係止されているので、係止される部材を別途備える必要がない。このため、網部材のコストを抑えることが可能である。このため、着脱が容易で、且つ、枠体に対して位置決めしやすく安価な網部材を提供することが可能である。
【００４６】
かかる網部材であって、前記網は、面内方向において交差する複数の線材の交点が溶着されていることを特徴とする。
このような網部材によれば、網は複数の線材の交点が溶着されているので、線材により形成される格子に歪みや偏りが生じ難い。このため、複数の突起が網目により確実に進入して係止されるので、網部材を枠体により確実に取り付けることが可能である。
【００４７】
かかる網部材であって、前記複数の突起は、面ファスナーの雄係止要素であることを特徴とする。
このような網部材によれば、面ファスナーの雄係止要素が網目に入り込んで、網部材を枠体により確実に取り付けることが可能である。また、網を係止する突起は、面ファスナーの雄係止要素なので、網が着脱自在な網部材を、既製の部材を用いて安価に提供することが可能である。
【００４８】
かかる網部材であって、前記位置決め部は、前記枠体の前記開口を形成する枠内周縁に沿って配置される位置決め縁を有するシート材が、前記網の両面から貼り付けられていることを特徴とする。
【００４９】
このような網部材によれば、位置決め部は、網の両面から貼り付けられているシート材なので、容易に取り付けることが可能であり、安価に設けることが可能である。また、シール材は、開口を形成する枠内周縁に沿う位置決め縁を有しているので、開口を形成する枠体に対して網部材を容易に位置決めすることが可能である。
【００５０】
かかる網部材であって、前記網は、外周端部に処理が施された外周処理部を有し、前記外周処理部よりも内周側にて前記突起に係止されていることを特徴とする。
このような網部材によれば、網は、外周端部に処理が施された外周処理部を有しているので、処理を施すことにより、網の線材を解れにくくする、或いは、網を破れにくくするなど、網の周端部に適宜な処理を施した部位を備えることが可能である。また、網の外周端部が処理された外周処理部の内周側が突起に係止されているので、処理された外周処理部により網が突起に係止されにくくなることはない。
【００５１】
かかる網部材であって、前記外周処理部の内周側の縁部が前記枠体に設けられた前記突起に沿って配置されて前記位置決め部をなすことを特徴とする。
このような網部材によれば、外周処理部の内周側の縁部が位置決め部をなすので、別途位置決め部を設けることなく、外周処理部の内周側の縁部を枠体に設けられた前記突起に沿って配置するだけで、網部材を枠体に対して位置決めすることが可能である。
【００５２】
かかる網部材であって、当該網部材を前記枠体から取り外すときに把持する把持部を備え、前記把持部が前記位置決め部をなしていることを特徴とする。
このような網部材によれば、網部材は把持部を備えているので、網部材を取り外し易い。また、把持部が位置決め部をなしているので、把持部と位置決め部とを各々別個に設ける必要がない。このため、取り外し易く、且つ、取り付け時の位置決めがし易い、安価な網部材を提供することが可能である。
【００５３】
また、網部材と、前記枠体と、を有することを特徴とする網戸である。
このような網戸によれば、網部材を容易に取り外すことが可能な網戸であって、且つ、取り外した網部材を適切な位置に容易に取り付けることが可能な網戸を提供することが可能である。
【符号の説明】
【００５４】
３  固定網戸（網戸）、５  網部材、３０  網戸枠、３０ａ  網戸開口、
３１ｃ  左側の枠材の右側の縁、３１ｄ  上側の枠材の下側の縁、
３３  雄係止要素、３４  網部材、３５  網、３５ａ  縦線材、３５ｂ  横線材、
３６  位置決め部、３６ａ  シート材、３６ｂ  位置決め部の２辺をなす縁、
３７  把持部、５０  網、５０ａ  線材、５１  外周処理部、
５１ａ  外周処理部の内周側の縁
【図１】
2020084591.tif 000003
【図２】
2020084591.tif 000004
【図３】
2020084591.tif 000005
【図４】
2020084591.tif 000006
【図５】
2020084591.tif 000007
【図６】
2020084591.tif 000008
【図７】
2020084591.tif 000009